(57)【要約】      （修正有）【課題】硬貨が塊となり、かさばり携帯性を損ねると共に、買物時の支払いや集金時の精算などに於いて、必要な金種を取り出す。【解決手段】形状がほぼ紙幣の大きさで、折り曲げが容易な薄さのシートに、硬貨が重なることがない間隔と配置で、硬貨の着脱が簡便にできる機構を施し、必要枚数の金種を取り出しやすくしたシート状コインホルダー１０を構築する。シート材は、折り曲げが容易な薄さの樹脂、ゴム、革、樹脂加工された布類などで作られる。シートに対する硬貨の着脱機構は、取り扱い上安易に硬貨が外れず取り外しが簡便な、シート材の弾性を活用したバンド形状や圧入ロック形状などで作られる。【選択図】図１
2018064915.tif 000002
【特許請求の範囲】
【請求項１】
形状が紙幣と同程度の大きさで、曲げ伸ばしが容易な薄さのシートに、硬貨が重なる事がない間隔と配置で、硬貨の大きさと厚みに応じた寸法の着脱機構を施したシート状コインホルダー。
【請求項２】
１円硬貨４枚、５円硬貨１枚、１０円硬貨４枚、５０円硬貨１枚、１００円硬貨４枚、５００円硬貨１枚、計１５枚を対象とした請求項１に記載したシート状コインホルダー。
【請求項３】
１円硬貨４枚、５円硬貨２枚、１０円硬貨４枚、５０円硬貨２枚、１００円硬貨４枚、５００円硬貨２枚、計１８枚を対象とした請求項１に記載したシート状コインホルダー。
【請求項４】
紙幣やカード類が収納される財布の一部に請求項１に記載したシート状コインホルダーが一体化加工された財布。
【発明の詳細な説明】
【技術分野】
【０００１】  財布及び小銭入れの硬貨の収納出し入れに関する。
【背景技術】
【０００２】  一般的に財布の硬貨収納部や小銭入れは、袋状の収納形状を成し、そこに幾種の硬貨が混在した状態で収納されている。【０００３】  なかには特許文献１のように種類別に分類し収納する小銭入れもあるが、これは９９９円のその金額と金種を対象とした硬貨収納ケースである。
【先行技術文献】
【特許文献】
【特許文献１】特開２０１０−２６８８７０号公報
【発明の概要】
【発明が解決しようとする課題】
【０００４】  自動販売機やレジ等に於ける現金での支払いや集金時の精算などに於いて、幾種の硬貨が混在した小銭入れや財布から必要な金種を取り出すことは、手間のかかる作業である。【０００５】  必要な金種を取り出す為に、指で硬貨をかき分け選び出したり、小銭入れに収納されている全てを一端別の場所に出し選別するなど時間がかかるうえ、時には落としたりまき散らしたりなど不都合が生じやすい。【０００６】  現在使用されている多くの財布は、紙幣を収納する部分、使用頻度の高いカードを収納する部分、小銭を収納する部分及びその他の収納部分がある。【０００７】  一般的には、この小銭を収納する部分に硬貨が混在し、収納数によっては財布全体が厚くなり携帯性を損ねると共に、必要金種の取り出しに手間がかかる。【０００８】  また、単独の小銭入れの場合でも、小銭が塊となってかさばる上、携帯性を損ねており、必要金種の取り出しに不便である。【０００９】  これら課題にたいして、精算時に必要な硬貨の最大は９９９円であり、この金額の硬貨を金種別に整理収納する小銭入れの発明がみられるが、この小銭入れを所有の一般的財布に収納する場合、大きさや厚さの面で無理があり、新たな９９９円用小銭入れとして所持することになる。
【課題を解決するための手段】
【００１０】  上記課題を解決するための手段として、１０００円紙幣以下の支払いに必要な硬貨の最大金額である９９９円分の硬貨を折りたためる薄さのシートに１円硬貨４枚、５円硬貨１枚、１０円硬貨４枚、５０円硬貨１枚、１００円硬貨４枚、５００円硬貨１枚、計１５枚を１枚のシート状のコインホルダーに収納し、所有の財布または小銭入れの寸法に合わせて折りたたみ収納し、精算時には９９９円が一枚のシートに広げられ、必要枚数や金種を取り出しやすくしたシート状のコインホルダーを構築する。【００１１】  尚、シートの大きさを紙幣と同程度の大きさとすれば、９９９円分の１５枚の他に５円、５０円、５００円合計３枚の硬貨も配置出来るので、最初の支払いで９９９円１５枚のいずれかを使用し、次の支払いで不足が生じても対応しやすくなる。【００１２】  例えば、支払いに１円硬貨が不足している場合は５円硬貨で、１０円硬貨が不足している場合は５０円硬貨で、１００円硬貨が不足している場合は５００円硬貨で精算でき、外出先で数回の支払いに対応しやすく、９９９円１５枚のシート状コインホルダーの他に５５５円３枚を加えた１８枚のシート状コインホルダーも利便性が高い。【００１３】  シート材は、樹脂、ゴム、革、樹脂加工された布類など柔軟で弾力のある材料を用い、シートに対する硬貨の着脱機構は、シート材の弾性を活用したバンド形状や圧入ロック形状、これらの組み合わせ形状などをシートの切断や成型加工により作られる。【００１４】  シートの成型加工により作り出せるこの機構によって、出し入れの際の脱落を防ぎ、シートからの取り外しは指にて簡単に行なえ、取り扱いが簡便である。
【発明の効果】
【００１５】  一回の支払いや精算に必要な最大で９９９円の硬貨１５枚または２回目の支払いを考慮した９９９円＋５５５円の硬貨１８枚が、薄い１枚のシート上に３×５または３×６の間隔で並べられているので、財布や小銭入れの収納部分の寸法に合わせて、紙幣の約半分になる３×３やカードにまたそれよりも少し小さい３×２などに折りたためるので、薄さを維持して様々な形状の財布のいろいろな収納部分にかさばらず入れることができる。【００１６】  取り出しは、９９９円もしくは９９９円＋５５５円が１枚のシートとして１回で取り出せ、広げて金種を確認できるので迅速に必要金種と枚数の支払いや精算ができる。【００１７】  新たな財布や小銭入れを購入することなく硬貨の簡便な取扱が可能となり、高齢化の進展に伴い発生しやすい紙幣だけでの精算や支払いで貯まりやすい硬貨の処理に役立つ。
【図面の簡単な説明】
【００１８】
【図１】  財布の各種収納部とシート状コインホルダーとの収納関係図
【図２】  シートに加工された硬貨の圧入ロック形状着脱機構図
【図３】  シートに加工された硬貨のバンド形状着脱機構図
【図４】  １８枚の硬貨が収納されたシート状コインホルダーの全体図
【図５】  紙幣収納部やカード収納部とシート状のコインホルダーが一体化された財布
【発明を実施するための形態】
【００１９】  以下、本発明を図面を参照して実施の形態を説明する。
【００２０】  図１は、現在使用されている多くの財布の、紙幣を収納する部分、カードを収納する部分、小銭を収納する部分に収納可能な大きさに折りたたみいれる関係図である。
【００２１】  紙幣を収納する部分には、折りたたまない財布の場合はそのままの３×６の状態で、二つ折りの財布の場合は、紙幣の約半分の寸法になる３×３に折りたたみ、１枚又は２枚収納が可能である。
【００２２】  小銭を収納する部分には、３×３又は３×２などいろいろと既存の財布の収納寸法に合わせて折りたたみ収納できる。
【００２３】  図２及び図３は、硬貨の着脱機構の説明図である。取扱上、安易に硬貨が外れないが、取り外しが簡便である硬貨の着脱機構として、シート材の弾性を活用した圧入ロック形状やバンド形状の着脱機構図である。
【００２４】  図４は、１８枚の硬貨が収納されたシート状コインホルダーの全体図である。支払い精算時に必要とされる最大９９９円分１５枚の硬貨と２回目の支払いを考慮した５５５円分の５円硬貨１枚、５０円硬貨１枚、５００円硬貨１枚、計３枚の硬貨が収納できる１８か所の着脱機構が紙幣と同程度の大きさに配置されている。
【００２５】  図５は、紙幣収納部やカード収納部とシート状のコインホルダーが一体化された財布で、シート状のコインホルダーの実施応用例である。
【００２６】  三つ折りや四つ折りにして携帯し、使用時に開くと直ちに硬貨が直視でき、紙幣と共に取り扱いが簡便である。
【符号の説明】
【００２７】１０  １５枚の硬貨が圧入ロック形状の着脱機構で収納されたシート状コインホルダー
１１  二つ折りにした１５枚の硬貨が圧入ロック形状の着脱機構で収納されたシート状コ      インホルダー
１２  三つ折りにした１５枚の硬貨が圧入ロック形状の着脱機構で収納されたシート状コ      インホルダー
２０  １８枚の硬貨が圧入ロック形状の着脱機構で収納されたシート状コインホルダー
２１  シート材を硬貨が圧入ロックできる形状に成型加工した着脱機構
２２  シート材を硬貨が挟みこめるバンド形状に切断及び成型加工した着脱機構
３０  ５００円硬貨
３１  １００円硬貨
３２  ５０円硬貨
３３  １０円硬貨
３４  ５円硬貨
３５  １円硬貨
４０  一般的財布一例
４１  紙幣収納部
４２  カード収納部
４３  硬貨収納部
４４  その他収納部
５０  シート状のコインホルダーが一体化された財布
５１  紙幣収納部
５２  カード収納部
５３  全体を三つ折りに畳んだ状態図
５４  全体を四つ折りに畳んだ状態図
【図１】
2018064915.tif 000003
【図２】
2018064915.tif 000004
【図３】
2018064915.tif 000005
【図４】
2018064915.tif 000006
【図５】
2018064915.tif 000007